(57)【要約】【課題】電子機器によって提供される機能をＧＵＩにより体系的に表示して、使い勝手を向上させる。【解決手段】電子機器によって提供される機能はカテゴリ毎に分類される。カテゴリ表示領域６１０にはカテゴリのアイコン群が互いに水平方向に表示される。機能表示領域６２０にはカテゴリ表示領域６１０で操作対象となっているカテゴリに対応する機能のアイコンおよびその名称が互いに垂直方向に表示される。機能説明表示領域６９０には機能表示領域６２０で選択対象となっている機能の機能説明６９９が表示される。電子機器の左ボタンまたは右ボタンが押下されると、カテゴリ表示領域６１０のアイコン群がそれぞれ左または右にシフトする。電子機器の上ボタンまたは下ボタンが押下されると、機能表示領域６２０の選択枠６２９がそれぞれ上または下に移動する。【選択図】図６
2007274381.tif 000002
【特許請求の範囲】
【請求項１】
撮像装置の機能をそれぞれ対応するカテゴリ毎に分類して保持する機能保持手段と、
前記カテゴリを示すカテゴリ識別子および前記機能を示す機能識別子を保持する識別子保持手段と、
前記カテゴリ識別子を互いに水平方向に表示させるカテゴリ表示制御手段と、
前記操作入力による操作対象である前記カテゴリに対応する前記機能識別子を互いに垂直方向に表示させる機能表示制御手段と、
前記機能表示制御手段により表示された前記機能識別子を選択する操作入力を受け付ける操作受付手段と
を具備することを特徴とする撮像装置。
【請求項２】
前記機能保持手段は前記機能に対応する機能説明をさらに保持し、
前記操作入力による選択対象である前記機能に対応する前記機能説明を表示させる機能説明表示制御手段をさらに具備することを特徴とする請求項１記載の撮像装置。
【請求項３】
前記カテゴリ表示制御手段は、前記カテゴリ識別子を前記機能識別子の上方に表示させることを特徴とする請求項１記載の撮像装置。
【請求項４】
前記機能表示制御手段は、前記操作入力による操作対象である前記カテゴリに対応する前記カテゴリ識別子の下方に当該カテゴリ識別子に対応する前記機能識別子を表示させることを特徴とする請求項３記載の撮像装置。
【請求項５】
前記カテゴリ表示制御手段は、前記操作入力による操作対象である前記カテゴリに対応する前記カテゴリ識別子を固定位置に表示させた後に、前記操作入力によって操作対象となる前記カテゴリが変更されると新たな操作対象となる前記カテゴリに対応する前記カテゴリ識別子が前記固定位置に表示されるように前記カテゴリ識別子を移動させることを特徴とする請求項３記載の撮像装置。
【請求項６】
前記カテゴリ表示制御手段は、初期状態において前記カテゴリ識別子の全てを表示させることを特徴とする請求項５記載の撮像装置。
【請求項７】
前記操作受付手段は、前記カテゴリ表示制御手段および前記機能表示制御手段による前記カテゴリ識別子および前記機能識別子の表示を活性化または非活性化させるメニューボタンを備えることを特徴とする請求項１記載の撮像装置。
【請求項８】
前記操作受付手段は、割り当てられた機能を実行させるための特殊ボタンをさらに備えることを特徴とする請求項７記載の撮像装置。
【請求項９】
前記操作受付手段により受け付けられた前記操作入力に基づいて所定の機能を実行する制御手段をさらに具備し、
前記制御手段において、前記機能識別子の選択に基づいて実行される機能および前記特殊ボタンの操作により実行される機能は等しいことを特徴とする請求項８記載の撮像装置。
【請求項１０】
前記撮像装置のカテゴリは、少なくとも、被写体を撮像するためのカテゴリ、記録された画像を再生するためのカテゴリ、および、記録された画像を接続されたネットワークを介して送信するためのカテゴリを含むことを特徴とする請求項１記載の撮像装置。
【請求項１１】
電子機器の機能をそれぞれ対応するカテゴリ毎に分類して保持する機能保持手段と、
前記カテゴリを示すカテゴリ識別子および前記機能を示す機能識別子を保持する識別子保持手段と、
前記機能識別子を選択するための操作入力を受け付ける操作受付手段と、
前記カテゴリ識別子を互いに水平方向に表示させるよう制御するカテゴリ表示制御手段と、
前記操作入力による操作対象である前記カテゴリに対応する前記機能識別子を互いに垂直方向に表示させるよう制御する機能表示制御手段と
を具備することを特徴とする電子機器。
【請求項１２】
電子機器の機能をそれぞれ対応するカテゴリ毎に分類して保持する機能保持手段と、前記カテゴリを示すカテゴリ識別子および前記機能を示す機能識別子を保持する識別子保持手段と、前記機能識別子を選択するための操作入力を受け付ける操作受付手段とを備える電子機器において、
前記操作入力を受け付ける手順と、
前記操作入力においてメニューボタンが押下されたか否かを判別する手順と、
前記メニューボタンが押下された場合にはメニュー表示がされているか否かを判別する手順と、
前記メニュー表示がされていない場合には当該メニュー表示として前記カテゴリ識別子を互いに水平方向に表示させるとともに前記操作入力による操作対象である前記カテゴリに対応する前記機能識別子を互いに垂直方向に表示させるよう制御する手順と、
前記メニュー表示がされている場合には前記メニュー表示を非活性化させるよう制御する手順と
を具備することを特徴とする電子機器における表示方法。
【請求項１３】
電子機器の機能をそれぞれ対応するカテゴリ毎に分類して保持する機能保持手段と、前記カテゴリを示すカテゴリ識別子および前記機能を示す機能識別子を保持する識別子保持手段と、前記機能識別子を選択するための操作入力を受け付ける操作受付手段とを備える電子機器において、
前記操作入力を受け付ける手順と、
前記操作入力においてメニューボタンが押下されたか否かを判別する手順と、
前記メニューボタンが押下された場合にはメニュー表示がされているか否かを判別する手順と、
前記メニュー表示がされていない場合には当該メニュー表示として前記カテゴリ識別子を互いに水平方向に表示させるとともに前記操作入力による操作対象である前記カテゴリに対応する前記機能識別子を互いに垂直方向に表示させるよう制御する手順と、
前記メニュー表示がされている場合には前記メニュー表示を非活性化させるよう制御する手順と
をコンピュータに実行させることを特徴とするプログラム。
【発明の詳細な説明】
【技術分野】
【０００１】
本発明は、電子機器に関し、特に撮像装置およびその表示方法ならびに当該方法をコンピュータに実行させるプログラムに関する。
【背景技術】
【０００２】
デジタルスチルカメラなどの電子機器では、提供される各機能に対応するボタン等が配置され、ユーザからの操作入力を受け付けている（例えば、特許文献１参照。）。ユーザは、それらボタン等の中から所望する機能に対応するものを選んで、押下等することにより操作を行う。
【特許文献１】特開２０００−０９２３７６号公報（図１）
【発明の開示】
【発明が解決しようとする課題】
【０００３】
しかしながら、電子機器に新しい機能が追加されるたびに新たにボタン等を設けると、それに伴う部品コストが高くなるだけでなく、電子機器の小型化を阻害するおそれがある。また、ユーザにとっても多数のボタン等の中から所望の機能に対応するものを選択しなければならず、使い勝手に問題を生じるおそれがある。
【０００４】
また、ソフトウェアによるＧＵＩ（Graphical User Interface）形式で各機能が提供される場合にも、多数の項目の中から所望の機能に対応するものを選択することは、不慣れなユーザにとって必ずしも簡単ではない。
【０００５】
そこで、本発明は、電子機器によって提供される機能をＧＵＩにより体系的に表示して、使い勝手を向上させることを目的とする。
【課題を解決するための手段】
【０００６】
本発明は、上記課題を解決するためになされたものであり、その第１の側面は、撮像装置の機能をそれぞれ対応するカテゴリ毎に分類して保持する機能保持手段と、上記カテゴリを示すカテゴリ識別子および上記機能を示す機能識別子を保持する識別子保持手段と、上記カテゴリ識別子を互いに水平方向に表示させるカテゴリ表示制御手段と、上記操作入力による操作対象である上記カテゴリに対応する上記機能識別子を互いに垂直方向に表示させる機能表示制御手段と、上記機能表示制御手段により表示された上記機能識別子を選択する操作入力を受け付ける操作受付手段とを具備することを特徴とする撮像装置である。これにより、撮像装置によって提供される機能をカテゴリ毎に分類して体系的に表示させるという作用をもたらす。なお、カテゴリ識別子および機能識別子は、それぞれカテゴリおよび機能を示すアイコンまたは名称を含み得る。
【０００７】
また、この第１の側面において、上記機能保持手段は上記機能に対応する機能説明をさらに保持し、上記操作入力による選択対象である上記機能に対応する上記機能説明を表示させる機能説明表示制御手段をさらに具備してもよい。これにより、選択対象である機能の説明を表示させるという作用をもたらす。
【０００８】
また、この第１の側面において、上記カテゴリ表示制御手段は、上記カテゴリ識別子を上記機能識別子の上方に表示させてもよい。この場合において、上記機能表示制御手段は、上記操作入力による操作対象である上記カテゴリに対応する上記カテゴリ識別子の下方に当該カテゴリ識別子に対応する上記機能識別子を表示させてもよい。一方、上記カテゴリ表示制御手段は、上記操作入力による操作対象である上記カテゴリに対応する上記カテゴリ識別子を固定位置に表示させた後に、上記操作入力によって操作対象となる上記カテゴリが変更されると新たな操作対象となる上記カテゴリに対応する上記カテゴリ識別子が上記固定位置に表示されるように上記カテゴリ識別子を移動させるものであってもよい。これにより、固定位置に着目することによって操作対象のカテゴリをユーザに把握させるという作用をもたらす。なお、初期状態において上記カテゴリ識別子の全てを表示させるよう配置してもよい。
【０００９】
また、この第１の側面において、上記操作受付手段は、上記カテゴリ表示制御手段および上記機能表示制御手段による上記カテゴリ識別子および上記機能識別子の表示を活性化または非活性化させるメニューボタンを備えてもよい。これにより、所望のタイミングでメニュー画面を表示させるという作用をもたらす。また、上記操作受付手段は、割り当てられた機能を実行させるための特殊ボタンをさらに備えてもよい。これにより、メニュー表示を介することなく速やかに特定の機能を実行させるという作用をもたらす。この場合において、前記操作受付手段により受け付けられた前記操作入力に基づいて所定の機能を実行する制御手段をさらに具備してもよい。このとき、前記制御手段において、前記機能識別子の選択に基づいて実行される機能および前記特殊ボタンの操作により実行される機能は等しいものである。
【００１０】
なお、この第１の側面において、前記撮像装置のカテゴリは、少なくとも、被写体を撮像するためのカテゴリ、記録された画像を再生するためのカテゴリ、および、記録された画像を接続されたネットワークを介して送信するためのカテゴリを含むものとすることができる。
【００１１】
また、本発明の第２の側面は、電子機器の機能をそれぞれ対応するカテゴリ毎に分類して保持する機能保持手段と、上記カテゴリを示すカテゴリ識別子および上記機能を示す機能識別子を保持する識別子保持手段と、上記機能識別子を選択するための操作入力を受け付ける操作受付手段と、上記カテゴリ識別子を互いに水平方向に表示させるよう制御するカテゴリ表示制御手段と、上記操作入力による操作対象である上記カテゴリに対応する上記機能識別子を互いに垂直方向に表示させるよう制御する機能表示制御手段とを具備する電子機器である。これにより、電子機器によって提供される機能をカテゴリ毎に分類して体系的に表示させるという作用をもたらす。
【００１２】
また、本発明の第３の側面は、電子機器の機能をそれぞれ対応するカテゴリ毎に分類して保持する機能保持手段と、上記カテゴリを示すカテゴリ識別子および上記機能を示す機能識別子を保持する識別子保持手段と、上記機能識別子を選択するための操作入力を受け付ける操作受付手段とを備える電子機器において、上記操作入力を受け付ける手順と、上記操作入力においてメニューボタンが押下されたか否かを判別する手順と、上記メニューボタンが押下された場合にはメニュー表示がされているか否かを判別する手順と、上記メニュー表示がされていない場合には当該メニュー表示として上記カテゴリ識別子を互いに水平方向に表示させるとともに上記操作入力による操作対象である上記カテゴリに対応する上記機能識別子を互いに垂直方向に表示させるよう制御する手順と、上記メニュー表示がされている場合には上記メニュー表示を非活性化させるよう制御する手順とを具備することを特徴とする電子機器における表示方法またはこれら手順をコンピュータに実行させることを特徴とするプログラムである。これにより、電子機器によって提供される機能をカテゴリ毎に分類して体系的に表示させるという作用をもたらす。
【発明の効果】
【００１３】
本発明によれば、電子機器によって提供される機能をＧＵＩにより体系的に表示して、使い勝手を向上させることができるという優れた効果を奏し得る。
【発明を実施するための最良の形態】
【００１４】
次に本発明の実施の形態について図面を参照して詳細に説明する。
【００１５】
図１は、本発明の実施の形態における電子機器の一例としてのデジタルスチルカメラ１００の構成を示すブロック図である。このデジタルスチルカメラ１００は、図１に示すように、大きく分けると、カメラ部４１と、カメラＤＳＰ（Digital Signal Processor）４２と、ＳＤＲＡＭ（Synchronous Dynamic Random Access Memory）４３と、媒体インタフェース（以下、媒体Ｉ／Ｆという。）４４と、制御部４５と、操作部４６と、ＬＣＤ（Liquid Crystal Display）コントローラ４７と、ＬＣＤ２０と、外部インタフェース（以下、外部Ｉ／Ｆという。）４８と、通信インタフェース（以下、通信Ｉ／Ｆという。）４９とを備えるとともに、記録媒体６０が着脱可能とされている。
【００１６】
記録媒体６０は、半導体メモリーを用いたいわゆるメモリーカード、記録可能なＤＶＤ（Digital Versatile Disc）や記録可能なＣＤ（Compact Disc）等の光記録媒体、磁気ディスクなどの種々のものを用いるようにすることが考えられるが、この実施の形態においては、記録媒体６０として例えば半導体メモリーまたはハードディスクドライブが内蔵されているメモリーカードを用いるものとして説明する。
【００１７】
そして、カメラ部４１は、図１に示すように、光学ブロック７１、ＣＣＤ（Charge Coupled Device）７２、前処理回路７３、光学ブロック用ドライバ７４、ＣＣＤ用ドライバ７５、および、タイミング生成回路７を備えたものである。ここで、光学ブロック７１は、レンズ、フォーカス機構、シャッター機構、および、絞り（アイリス）機構などを備えたものである。光学ブロック７１は、レンズ部１１を含む。
【００１８】
また、制御部４５は、ＣＰＵ（Central Processing Unit）８１、ＲＡＭ（Random Access Memory）８２、フラッシュＲＯＭ（Read Only Memory）８３、および、時計回路８４が、システムバス８５を通じて接続されて構成されている。制御部４５は、例えば、汎用の組み込み型のマイクロコンピュータまたは専用のシステムＬＳＩ（Large Scale Integrated circuit）などからなる。制御部４５は、デジタルスチルカメラ１００の各部を制御することができるものである。
【００１９】
ここで、ＲＡＭ８２は、処理の途中結果を一時記憶するなど主に作業領域として用いられるものである。また、フラッシュＲＯＭ８３は、ＣＰＵ８１において実行される種々のプログラムや、処理に必要になるデータなどを記憶したものである。また、時計回路８４は、現在年月日、現在曜日、現在時刻を提供することができるとともに、撮影日時などを提供するなどのことができるものである。
【００２０】
そして、画像の撮影時においては、光学ブロック用ドライバ７４は、制御部４５からの制御に応じて、光学ブロック７１を動作させるようにする駆動信号を形成し、これを光学ブロック７１に供給して、光学ブロック７１を動作させるようにする。光学ブロック用ドライバ７４からの駆動信号に応じて、光学ブロック７１のフォーカス機構、シャッター機構、および、絞り機構が制御される。光学ブロック７１は、被写体の光学的な画像を取り込んで、これをＣＣＤ７２に結像させる。
【００２１】
ＣＣＤ７２は、光学ブロック７１からの光学的な画像を光電変換して、変換により得られた画像の電気信号を出力する。すなわち、ＣＣＤ７２は、ＣＣＤドライバ７５からの駆動信号に応じて動作し、光学ブロック７１からの光学的な被写体の画像を取り込むとともに、制御部４５によって制御されるタイミング生成回路７６からのタイミング信号に基づいて、取り込んだ被写体の画像（画像情報）を電気信号として前処理回路７３に供給する。
【００２２】
なお、ＣＣＤ７２に代えて、ＣＭＯＳ（Complementary Metal-Oxide Semiconductor）センサなどの光電変換デバイスを用いるようにしてもよい。
【００２３】
また、上述のように、タイミング生成回路７６は、制御部４５からの制御に応じて、所定のタイミングを提供するタイミング信号を形成するものである。また、ＣＣＤドライバ７５は、タイミング生成回路７６からのタイミング信号に基づいて、ＣＣＤ７２に供給する駆動信号を形成するものである。
【００２４】
前処理回路７３は、ＣＣＤ７２から供給された電気信号の画像情報に対して、ＣＤＳ（Correlated Double Sampling）処理を行って、Ｓ／Ｎ比を良好に保つようにするとともに、ＡＧＣ（Automatic Gain Control）処理を行って、利得を制御し、そして、Ａ／Ｄ（Analog/Digital）変換を行って、デジタル信号とされた画像データを形成する。
【００２５】
前処理回路７３においてデジタル信号とされた画像データは、カメラＤＳＰ４２に供給される。カメラＤＳＰ４２は、これに供給された画像データに対して、ＡＦ（Auto Focus）、ＡＥ（Auto Exposure）、および、ＡＷＢ（Auto White Balance）などのカメラ信号処理を施す。このようにして種々の調整がされた画像データは、例えば、ＪＰＥＧ（Joint Photographic Experts Group）またはＪＰＥＧ２０００などの所定の符号化方式で符号化され、システムバス８５、媒体Ｉ／Ｆ４４を通じて、この実施の形態のデジタルスチルカメラ１００に装着された記録媒体６０に供給され、後述のように記録媒体６０にファイルとして記録される。
【００２６】
また、記録媒体６０に記録された画像データは、タッチパネルやコントロールキーなどからなる操作部４６を通じて受け付けたユーザからの操作入力に応じて、目的とする画像データが媒体Ｉ／Ｆ４４を通じて記録媒体６０から読み出され、これがカメラＤＳＰ４２に供給される。操作部４６は、ズームボタン１７、モードダイヤル１８、操作ボタン１９、ネットワークボタン２１、および、オプションボタン２２を含む。
【００２７】
カメラＤＳＰ４２は、記録媒体６０から読み出され、媒体Ｉ／Ｆ４４を通じて供給された符号化されている画像データを復号し、復号後の画像データを、システムバス８５を通じてＬＣＤコントローラ４７に供給する。ＬＣＤコントローラ４７は、これに供給された画像データからＬＣＤ２０に供給する画像信号を形成し、これをＬＣＤ２０に供給する。これにより、記録媒体６０に記録されている画像データに応じた画像が、ＬＣＤ２０の表示画面に表示される。
【００２８】
また、この実施の形態のデジタルスチルカメラ１００には、外部Ｉ／Ｆ４８が設けられている。この外部Ｉ／Ｆ４８を通じて、例えば外部のパーソナルコンピュータと接続して、パーソナルコンピュータから画像データの供給を受けて、これをデジタルスチルカメラ１００に装着された記録媒体６０に記録したり、また、デジタルスチルカメラ１００に装着された記録媒体６０に記録されている画像データを外部のパーソナルコンピュータ等に供給したりすることもできるものである。
【００２９】
また、通信Ｉ／Ｆ４９は、いわゆるネットワークインターフェースカード（ＮＩＣ）などからなり、ネットワークに接続して、ネットワークを通じて種々の画像データやその他の情報を取得する。
【００３０】
また、外部のパーソナルコンピュータやネットワークを通じて取得し、記録媒体に記録した画像データなどの情報についても、上述したように、この実施の形態のデジタルスチルカメラ１００において読み出して再生し、ＬＣＤ２０に表示してユーザが利用することもできるようにされている。
【００３１】
なお、通信Ｉ／Ｆ４９は、ＩＥＥＥ（Institute of Electrical and Electronic Engineers）１３９４またはＵＳＢ（Universal Serial Bus）などの規格に準拠した有線用インタフェースとして設けることも可能であり、また、ＩＥＥＥ８０２．１１ａ、ＩＥＥＥ８０２．１１ｂ、ＩＥＥＥ８０２．１１ｇ、または、ブルートゥースの規格に準拠した光や電波による無線インタフェースとして設けることも可能である。すなわち、通信Ｉ／Ｆ４９は、有線または無線のいずれのインタフェースであってもよい。
【００３２】
図２は、本発明の実施の形態における電子機器の一例としてのデジタルスチルカメラ１００の外観例を示す図である。図２（ａ）は、撮影者側から見た操作面を示す図である。このデジタルスチルカメラ１００の操作面には、ディスプレイ１１０と、ズームボタン１３１および１３２と、方向ボタン１４１乃至１４４と、決定ボタン１４５と、戻りボタン１５０と、ホームボタン１６０と、撮像切替ボタン１７０と、再生切替ボタン１８０とが設けられている。また、このデジタルスチルカメラ１００の上面には撮像画像の記録指示を受け付けるシャッターボタン１２０が設けられている。なお、ディスプレイ１１０は上述のＬＣＤ２０に相当するものであり、それ以外のボタン等は上述の操作部４６に相当するものである。
【００３３】
ディスプレイ１１０は、撮像画像や再生画像などの画像や後述するメニューを表示するものである。ズームボタン１３１および１３２は、画像のズーム操作を受け付けるボタンである。方向ボタン１４１乃至１４４は、ディスプレイ１１０における表示内容に関する方向指示の操作を受け付けるボタンである。決定ボタン１４５は、ディスプレイ１１０における表示内容に関する選択決定の操作を受け付けるボタンである。戻りボタン１５０は、ディスプレイ１１０における表示内容に関する操作の階層の後戻りを受け付けるボタンである。
【００３４】
ホームボタン１６０は、メニュー画面との間の移行操作を受け付けるボタンである。すなわち、このホームボタン１６０が押下された際にメニュー画面が表示されていなければメニュー画面が表示され（活性化）、メニュー画面が表示されていればメニュー画面は非表示にされる（非活性化）。
【００３５】
撮像切替ボタン１７０は、静止画もしくは動画を撮像する画面への移行操作を受け付けるボタンである。また、再生切替ボタン１８０は、撮像された画像の表示画面への移行操作を受け付けるボタンである。これら撮像切替ボタン１７０および再生切替ボタン１８０が押下されることにより表示される画面にはメニュー画面から移行することもできるが、特に使用頻度の高いと思われる画面についてはこのように特定のボタンを割り当ててもよい。このようなボタンを以下では特殊ボタンと呼称する。
【００３６】
図２（ｂ）は、被写体側から見た正面を示す図である。このデジタルスチルカメラ１００の正面には、画像を撮像するためのレンズ１９１と、ストロボ光を発光するストロボ発光ユニット１９２とが設けられている。レンズ１９１の前面にはレンズカバーとして機能する本体スライドを設けることができる。
【００３７】
図３は、本発明の実施の形態における画面遷移の一例を示す図である。ここでは、初期状態では、メニュー表示はされていないものとする。初期状態としては、例えば、電源オンの際に本体スライドが開いていれば静止画撮像画面が表示され、電源オンの際に本体スライドが閉じていれば最後に撮像された画像の表示画面が表示される。
【００３８】
メニュー表示がされていない元の画面を以下では元画面と呼称する。元画面７０１が表示されている状態でホームボタン１６０が押下されると、メニュー表示画面６００が表示される状態に移行する。そして、再びホームボタン１６０が押下されると、元画面７０１が表示される状態に戻る。
【００３９】
なお、このとき、メニュー表示画面６００は、元画面７０１に代えて表示されるものであってもよいが、元画面７０１の前面に表示されるものであってもよい。例えば、メニュー表示画面６００が半透明に透けた状態で、背後に元画面７０１が薄く表示されていてもよい。
【００４０】
メニュー表示画面６００においては、後述するように各機能の選択画面が表示される。ユーザは、方向ボタン１４１乃至１４４を適宜押下することによって所望の機能を選択することができる。そして、決定ボタン１４５が押下されると、そのとき選択されていた機能に対応する選択先画面７０２が表示される状態に移行する。
【００４１】
一方、何れの画面においても、撮像切替ボタン１７０や再生切替ボタン１８０等の特殊ボタンが押下されると、その特殊ボタンに割り当てられている機能に対応する特殊ボタン関連画面７０３が表示される状態に移行する。但し、デジタルスチルカメラ１００に内蔵されているメディアやリムーバブルメディアのフォーマット処理の実行中や、ファームウェアのアップデート処理の実行中などの特別な状態においてはこの限りではない。すなわち、実行中の機能が切り替えられてしまうことによって、著しく不利益を被るような場合においては、特殊ボタンの押下は無効なものとして無視される。
【００４２】
図４は、本発明の実施の形態におけるデジタルスチルカメラ１００の機能構成例を示す図である。この機能構成は、操作受付部２１０と、操作判定部２２０と、メニュー表示制御部２４０と、画面表示制御部２６０と、重ね合せ部２８０と、表示部２９０と、定義ファイル５００とを備えている。
【００４３】
操作受付部２１０は、デジタルスチルカメラ１００に対する操作入力を受け付けるものである。例えば、図２（ａ）の操作面の例におけるズームボタン１３１および１３２、方向ボタン１４１乃至１４４、決定ボタン１４５、戻りボタン１５０、ホームボタン１６０、撮像切替ボタン１７０、ならびに、再生切替ボタン１８０などがこれに相当する。
【００４４】
操作判定部２２０は、操作受付部２１０によって受け付けられた操作入力の内容を判定するものである。これにより、操作判定部２２０は、メニュー表示制御部２４０および画面表示制御部２６０に表示画面の遷移を指示する。
【００４５】
メニュー表示制御部２４０は、メニュー表示画面６００の表示を制御するものである。このメニュー表示制御部２４０は、カテゴリ表示制御部２４１と、機能表示制御部２４２と、機能説明表示制御部２４３とを含んでいる。カテゴリ表示制御部２４１は、デジタルスチルカメラ１００の機能のカテゴリを示すカテゴリ識別子を表示させるものである。このカテゴリ識別子には、例えば、カテゴリを示すアイコンやカテゴリの名称などが含まれる。機能表示制御部２４２は、デジタルスチルカメラ１００の機能を示す機能識別子を表示させるものである。この機能識別子には、例えば、機能を示すアイコンや機能の名称などが含まれる。機能説明表示制御部２４３は、デジタルスチルカメラ１００の機能の説明を表示させるものである。
【００４６】
画面表示制御部２６０は、メニュー表示画面６００以外のデジタルスチルカメラ１００によって提供される画面（例えば、画面７０１乃至７０３）を表示させるものである。重ね合せ部２８０は、メニュー表示制御部２４０によって制御される表示と画面表示制御部２６０によって制御される表示とを重ね合せるものである。表示部２９０は、重ね合せ部２８０によって重ね合わされた表示内容を表示するものである。例えば、ディスプレイ１１０がこれに相当する。
【００４７】
定義ファイル５００は、デジタルスチルカメラ１００によって提供される機能の定義を保持するものである。この定義ファイル５００は、機能テーブル５０１およびアイコンテーブル５０２を含む。機能テーブル５０１は、デジタルスチルカメラ１００に対する操作の機能とカテゴリの対応関係や、各機能の機能説明を保持するものである。アイコンテーブル５０２は、デジタルスチルカメラ１００の機能およびそのカテゴリのアイコンを保持するものである。
【００４８】
メニュー表示制御部２４０は、定義ファイル５００から必要な情報を取得することにより、メニュー表示画面６００を表示部２９０に表示させる。
【００４９】
図５は、本発明の実施の形態における機能テーブル５０１の一構成例を示す図である。この機能テーブル５０１は、デジタルスチルカメラ１００に対する操作の機能５２０と、これら機能５２０が属するカテゴリ５１０と、機能５２０の内容を説明する文字列である機能説明５３０とを項目として備えている。
【００５０】
この例では、デジタルスチルカメラ１００の機能５２０のカテゴリ５１０として、「カメラ」、「ビューワー」、「ミュージック」、「コミュニケーション」、「ツールボックス」、「メディアツール」および「設定」を含んでいる。
【００５１】
「カメラ」は、画像撮影機能を含むカテゴリである。具体的には、この「カメラ」には、機能５２０として「静止画」および「動画」の各機能が含まれる。「静止画」は、静止画を撮影する機能である。「動画」は、動画を撮影する機能である。
【００５２】
「ビューワー」は、画像再生機能を含むカテゴリである。具体的には、この「ビューワー」には、機能５２０として「アルバム」、「メモリースティック」、「最後に撮った画像」、「最後に見た画像」および「スライドショー」の各機能が含まれる。「アルバム」は、デジタルスチルカメラ１００の（図示しない）内蔵メモリーに保持されているアルバムの画像を再生する機能である。「メモリースティック」は、デジタルスチルカメラ１００に装着されている（図示しない）メモリースティックの画像を再生する機能である。「最後に撮った画像」は、最後に撮影された画像を再生する機能である。「最後に見た画像」は、最後に再生された画像を再生する機能である。「スライドショー」は、ＢＧＭ（Back Ground Music）やエフェクト付きで画像を自動再生する機能である。
【００５３】
「ミュージック」は、音楽再生機能を含むカテゴリである。具体的には、この「ミュージック」には、機能５２０として「音楽プレーヤー」の機能が含まれる。「音楽プレーヤー」は、音楽を再生する機能である。
【００５４】
「コミュニケーション」は、通信機能を含むカテゴリである。具体的には、この「コミュニケーション」には、機能５２０として「撮影時画像交換」および「再生時画像交換」の各機能が含まれる。「撮影時画像交換」は、被写体を撮像しつつ、ワイヤレス接続したデジタルスチルカメラ同士で画像を交換する機能である。「再生時画像交換」は、ワイヤレス接続したカメラ同士で公開対象とされた画像を交換する機能である。
【００５５】
「ツールボックス」は、画像操作ツールを含むカテゴリである。具体的には、この「ツールボックス」には、機能５２０として「印刷」および「画像公開」の各機能が含まれる。「印刷」は、静止画を印刷する機能である。「画像公開」は、ワイヤレスＬＡＮ（Local Area Network）によって接続されたそのネットワーク上に画像を公開する機能である。
【００５６】
「メディアツール」は、メディア操作ツールを含むカテゴリである。具体的には、この「メディアツール」には、機能５２０として「全般」、「メモリースティック」および「内蔵メモリー」の各機能が含まれる。「全般」は、記録メディアの残量確認やファイル名設定などの記録メディア関連の全般的操作機能である。「メモリースティック」は、フォルダ設定などのメモリースティック関連の操作機能である。「内蔵メモリー」は、フォーマットなどの内蔵メモリー関連の操作機能である。
【００５７】
「設定」は、各種設定機能を含むカテゴリである。具体的には、この「設定」には、機能５２０として「本体設定」、「時計設定」、「カメラ設定」、「ミュージック設定」および「ネットワーク設定」の各機能が含まれる。「本体設定」は、デジタルスチルカメラ１００の全体の設定を変更する機能である。「時計設定」は、デジタルスチルカメラ１００内の（図示しない）時計の設定を変更する機能である。「カメラ設定」は、デジタルスチルカメラ１００のカメラとしての機能の設定を変更する機能である。「ミュージック設定」は、デジタルスチルカメラ１００のミュージック機能の設定を変更する機能である。「ネットワーク設定」は、デジタルスチルカメラ１００のコミュニケーション機能の設定を変更する機能である。
【００５８】
次に本発明の実施の形態における表示画面例について図面を参照して説明する。
【００５９】
図６は、本発明の実施の形態における「ビューワー」カテゴリに関する表示画面の一例を示す図である。
【００６０】
この表示画面上段のカテゴリ表示領域６１０には、カテゴリのアイコン群が互いに水平方向に表示されている。すなわち、左側から「カメラ」アイコン６１１、「ビューワー」アイコン６１２、「ミュージック」アイコン６１３、「コミュニケーション」アイコン６１４、「ツールボックス」アイコン６１５、「メディアツール」アイコン６１６および「設定」アイコン６１７が表示されている。左から２番目の位置がフォーカス対象（操作対象）の固定位置であり、該当する「ビューワー」アイコン６１２は他のアイコンと比べて大きめに表示されている。また、この「ビューワー」アイコン６１２の上部にはカテゴリ名称として「ビューワー」の文字が付記されている。
【００６１】
このカテゴリ表示領域６１０は、カテゴリ表示制御部２４１によってその表示が制御されるものである。アイコン６１１乃至６１７は、定義ファイル５００のアイコンテーブル５０２から取得される。また、操作対象のカテゴリの名称は、機能テーブル５０１のカテゴリ５１０から取得される。
【００６２】
また、表示画面中段の機能表示領域６２０には、カテゴリ表示領域６１０で操作対象となっているカテゴリに対応する機能のアイコンおよびその名称が互いに垂直方向に表示されている。すなわち、上方から「アルバム」アイコン６３１、「メモリースティック」アイコン６３２、「最後に撮った画像」アイコン６３３、「最後に見た画像」アイコン６３４および「スライドショー」アイコン６３５とそれらの名称が表示されている。そして、現在フォーカス対象（選択対象）になっている機能が選択枠６２９によって囲まれて、他の機能よりも大きめに表示されている。
【００６３】
この機能表示領域６２０は、機能表示制御部２４２によってその表示が制御されるものである。アイコン６３１乃至６３２は、定義ファイル５００のアイコンテーブル５０２から取得される。また、機能の名称は、機能テーブル５０１の機能５２０から取得される。
【００６４】
また、表示画面下段の機能説明表示領域６９０には、選択対象の機能（この例では「アルバム」機能）の機能説明６９９が表示されている。
【００６５】
この機能説明表示領域６９０は、機能説明表示制御部２４３によってその表示が制御されるものである。機能説明６９９は、機能テーブル５０１の機能説明５３０から取得される。
【００６６】
この図６の表示画面例のように選択枠６２９が「アルバム」アイコン６３１を囲んでいるときに決定ボタン１４５が押下されると、選択対象である「アルバム」機能が起動されて「アルバム」機能の表示画面が表示される。
【００６７】
図７は、本発明の実施の形態における「アルバム」機能の表示画面７１０の一例を示す図である。
【００６８】
この「アルバム」機能の表示画面７１０では、デジタルスチルカメラ１００の（図示しない）内蔵メモリーに保持されているアルバムの画像の一覧が表示される。そして、その中の一つが決定ボタン１４５の押下により選択されると、その選択された画像が表示される。
【００６９】
なお、選択枠６２９が「メモリースティック」アイコン６３２にあるときに決定ボタン１４５が押下された場合には、同様の形式で、デジタルスチルカメラ１００に装着されている（図示しない）メモリースティックの画像の一覧が表示される。そして、その中の一つが決定ボタン１４５の押下により選択されると、その選択された画像が表示される。
【００７０】
図８は、本発明の実施の形態における「ビューワー」カテゴリに関する表示画面の他の例を示す図である。図６の画面表示例において下方向の方向ボタン１４２が２回押下されると、この図８の画面表示例が表示される。
【００７１】
この表示画面の例では、選択枠６２９が「最後に撮った画像」アイコン６３３を囲んでいる。そのため、機能説明表示領域６９０には、「最後に撮った画像」機能に対応する機能説明６９９が表示されている。ここで決定ボタン１４５が押下された場合には、最後に撮像された画像が表示される。
【００７２】
図９は、本発明の実施の形態における「カメラ」カテゴリに関する表示画面の一例を示す図である。図６の画面表示例において右方向の方向ボタン１４４が１回押下されると、この図９の画面表示例が表示される。
【００７３】
この表示画面の例では、操作対象の固定位置に「カメラ」アイコン６１１がカテゴリの名称「カメラ」とともに表示されている。すなわち、右方向の方向ボタン１４４が押下されることによりカテゴリ表示領域６１０におけるカテゴリのアイコンが全体的に右方向にシフトされ、図６の右端にあった「設定」アイコン６１７は表示されなくなっている。
【００７４】
このように、カテゴリ表示領域６１０の各アイコンは横方向にシフトするため、表示幅とアイコン数の関係によっては表示画面からはみ出す場合が生じ得る。そのため、頻度の高い表示状態においてカテゴリ全体が俯瞰できるよう各アイコンを配置することが望ましい。例えば、「ビューワー」カテゴリは最も表示頻度が高いと考えられるため、図６のように「ビューワー」アイコン６１２が操作対象の固定位置に表示された際に７個のアイコン全てが俯瞰できるように配置されている。
【００７５】
図９の表示画面の例では、「静止画」アイコン６２１および「動画」アイコン６２２が表示され、選択枠６２９が「静止画」アイコン６２１を囲んでいる。そのため、機能説明表示領域６９０には、「静止画」機能に対応する機能説明６９９が表示されている。ここで決定ボタン１４５が押下された場合には、「静止画」機能の表示画面に移行する。
【００７６】
図１０は、本発明の実施の形態における「静止画」機能の表示画面７２０の一例を示す図である。
【００７７】
この表示画面の例では、右側に現在の被写体の映像が表示されている。そして、左側に現在の撮影条件が表示され、必要に応じて設定変更ができるようになっている。この状態においてシャッターボタン１２０が押下されると、その際の被写体の映像が静止画として（図示しない）メディアに記録される。
【００７８】
図１１は、本発明の実施の形態における「ミュージック」カテゴリに関する表示画面の一例を示す図である。図６の画面表示例において左方向の方向ボタン１４３が１回押下されると、この図１１の画面表示例が表示される。
【００７９】
この表示画面の例では、操作対象の固定位置に「ミュージック」アイコン６１３がカテゴリの名称「ミュージック」とともに表示されている。すなわち、左方向の方向ボタン１４３が押下されることによりカテゴリ表示領域６１０におけるカテゴリのアイコンが全体的に左方向にシフトされ、図６の左端にあった「カメラ」アイコン６１１は表示されなくなっている。
【００８０】
この表示画面の例では、選択枠６２９が唯一の機能である「音楽プレーヤー」アイコン６４１を囲んでいる。そのため、機能説明表示領域６９０には、「音楽プレーヤー」機能に対応する機能説明６９９が表示されている。ここで決定ボタン１４５が押下された場合には、「音楽プレーヤー」機能の表示画面に移行する。
【００８１】
図１２は、本発明の実施の形態における「音楽プレーヤー」機能の表示画面７３０の一例を示す図である。
【００８２】
この表示画面の例では、再生中の音楽のアルバム名、アーティスト名、曲名などが表示されている。また、全再生時間の中の再生位置が表示されている。また、画面下段には、操作方法に関する説明が表示されている。
【００８３】
図１３は、本発明の実施の形態における「コミュニケーション」カテゴリに関する表示画面の一例を示す図である。図１１の画面表示例において左方向の方向ボタン１４３が１回押下されると、この図１３の画面表示例が表示される。
【００８４】
この表示画面の例では、操作対象の固定位置に「コミュニケーション」アイコン６１４がカテゴリの名称「コミュニケーション」とともに表示されている。すなわち、左方向の方向ボタン１４３が押下されることによりカテゴリ表示領域６１０におけるカテゴリのアイコンが全体的に左方向にシフトされ、図１１の左端にあった「ビューワー」アイコン６１２は表示されなくなっている。
【００８５】
この表示画面の例では、「撮影時画像交換」アイコン６５１および「再生時画像交換」アイコン６５２が表示され、選択枠６２９が「撮影時画像交換」アイコン６５１を囲んでいる。そのため、機能説明表示領域６９０には、「撮影時画像交換」機能に対応する機能説明６９９が表示されている。ここで決定ボタン１４５が押下された場合には、「撮影時画像交換」機能の表示画面に移行する。
【００８６】
図１４は、本発明の実施の形態における「撮影時画像交換」機能の表示画面７４０の一例を示す図である。
【００８７】
「撮影時画像交換」機能は、被写体を撮像しつつ、ワイヤレス接続したデジタルスチルカメラ同士で画像を交換する機能であり、その前提として予めワイヤレスネットワークへの接続動作が要求される。この接続動作は２台のデジタルスチルカメラの間において１対１で行われる。未接続のデジタルスチルカメラは、既にワイヤレス接続しているデジタルスチルカメラの何れか１台との間の接続動作を行うことにより、その他の接続済のデジタルスチルカメラとの間においてもワイヤレス接続されたことになる。
【００８８】
図１４の表示画面は、「撮影時画像交換」機能の前提としてのワイヤレスネットワークへの接続動作を要求するものである。ユーザは、これに応答して、接続したいデジタルスチルカメラの（図示しない）コミュニケーションボタンを同時に押下することにより、ワイヤレス接続を確立することができる。その後、何れかのデジタルスチルカメラにおいて撮影が行われると、ワイヤレス接続している他のデジタルスチルカメラにその撮影画像が配信される。なお、ここでは「撮影時画像交換」機能の表示例として図１４を示したが、「再生時画像交換」機能の場合も同様の表示によりワイヤレスネットワークへの接続動作が要求される。
【００８９】
図１５は、本発明の実施の形態における「ツールボックス」カテゴリに関する表示画面の一例を示す図である。図１３の画面表示例において左方向の方向ボタン１４３が１回押下されると、この図１５の画面表示例が表示される。
【００９０】
この表示画面の例では、操作対象の固定位置に「ツールボックス」アイコン６１５がカテゴリの名称「ツールボックス」とともに表示されている。すなわち、左方向の方向ボタン１４３が押下されることによりカテゴリ表示領域６１０におけるカテゴリのアイコンが全体的に左方向にシフトされ、図１３の左端にあった「ミュージック」アイコン６１３は表示されなくなっている。
【００９１】
この表示画面の例では、「印刷」アイコン６６１および「画像公開」アイコン６６２が表示され、選択枠６２９が「印刷」アイコン６６１を囲んでいる。そのため、機能説明表示領域６９０には、「印刷」機能に対応する機能説明６９９が表示されている。ここで決定ボタン１４５が押下された場合には、「印刷」機能の表示画面に移行する。
【００９２】
図１６は、本発明の実施の形態における「印刷」機能の表示画面７５０の一例を示す図である。
【００９３】
「印刷」機能は画像を印刷する機能である。この表示画面の例では、印刷対象として、「アルバム」、「メモリースティック」および「ＤＰＯＦ印刷」の三つが表示されている。「アルバム」は、デジタルスチルカメラ１００の（図示しない）内蔵メモリーに保持されているアルバムの画像を印刷するためのボタンである。「メモリースティック」は、デジタルスチルカメラ１００に装着されている（図示しない）メモリースティックの画像を印刷するためのボタンである。また、「ＤＰＯＦ印刷」は、ＤＰＯＦ（Digital Print Order Format）機能により印刷するためのボタンである。ＤＰＯＦ機能とは、印刷しようとする画像を予約する機能であり、印刷対象の画像、枚数および同時に出力すべき項目（時刻や題名など）を設定しておくことによって印刷時の操作を簡略化するものである。
【００９４】
図１７は、本発明の実施の形態における「画像公開」機能の表示画面７６０の一例を示す図である。
【００９５】
「画像公開」機能は画像を公開する機能である。この表示画面の例では、選択項目として、「実行」および「アクセスポイント設定」の二つが表示されている。「実行」は、画像公開のためのネットワーク接続を実行するためのボタンである。「アクセスポイント設定」は、ネットワーク接続のためのアクセスポイントを設定するためのボタンである。なお、この画像公開に先立って、公開対象となる画像は予め設定されているものとする。
【００９６】
図１８は、本発明の実施の形態における「メディアツール」カテゴリに関する表示画面の一例を示す図である。図１５の画面表示例において左方向の方向ボタン１４３が１回押下されると、この図１８の画面表示例が表示される。
【００９７】
この表示画面の例では、操作対象の固定位置に「メディアツール」アイコン６１６がカテゴリの名称「メディアツール」とともに表示されている。すなわち、左方向の方向ボタン１４３が押下されることによりカテゴリ表示領域６１０におけるカテゴリのアイコンが全体的に左方向にシフトされ、図１５の左端にあった「コミュニケーション」アイコン６１４は表示されなくなっている。
【００９８】
この表示画面の例では、「全般」アイコン６７１、「メモリースティック」アイコン６７２および「内蔵メモリー」６７３が表示され、選択枠６２９が「全般」アイコン６７１を囲んでいる。そのため、機能説明表示領域６９０には、「全般」機能に対応する機能説明６９９が表示されている。ここで決定ボタン１４５が押下された場合には、「全般」機能の表示画面に移行する。
【００９９】
図１９は、本発明の実施の形態における「全般」機能の表示画面７７０の一例を示す図である。
【０１００】
「全般」機能は記録メディア関連の全般的な操作を提供する機能である。この表示画面の例では、選択項目として、「メディア残量表示」、「ファイル名」、「記録優先メディア」および「アルバムチェック」の四つが表示されている。「メディア残量表示」は、記録メディアに記録可能な残量を表示させるためのボタンである。「ファイル名」は、記録されるファイル名の付与規則を設定するためのボタンであり、ここでは各ファイルに連続する番号を付与する旨を示す「連番」が指定されている。「記録優先メディア」は、画像撮影の際に優先的に記録先となる記録メディアを設定するためのボタンであり、ここでは「メモリースティック」が指定されている。「アルバムチェック」は、アルバムデータエラーを生じた場合にデータを修復するためのボタンである。
【０１０１】
次に本発明の実施の形態におけるデジタルスチルカメラ１００の動作について図面を参照して説明する。
【０１０２】
図２０は、本発明の実施の形態におけるデジタルスチルカメラ１００の操作入力に対する処理手順の一例を示す図である。
【０１０３】
操作受付部２１０において操作入力が受け付けられると（ステップＳ９１１）、その操作入力の内容が操作判定部２２０によって判定される（ステップＳ９１２）。そして、この判定結果に応じて以下のように処理が行われる。
【０１０４】
ホームボタン１６０が押下された場合、メニュー表示が行われていれば（ステップＳ９２０）、メニュー表示画面６００は非活性化されて（ステップＳ９２１）、元画面７０１に移行される（ステップＳ９２２）。一方、メニュー表示が行われていなければ（ステップＳ９２０）、メニュー表示画面６００が活性化される（ステップＳ９２３）。
【０１０５】
方向ボタン１４１乃至１４４が押下された場合、メニュー表示が行われていれば（ステップＳ９３０）、メニュー表示画面６００においてメニュー操作が行われる（ステップＳ９７０）。一方、メニュー表示が行われていなければ（ステップＳ９３０）、現在実行中の機能の表示画面における操作が行われる（ステップＳ９３３）。
【０１０６】
決定ボタン１４５が押下された場合、メニュー表示が行われていれば（ステップＳ９４０）、メニュー表示画面６００が非活性化されて（ステップＳ９２１）、選択先画面７０２に移行される（ステップＳ９４２）。一方、メニュー表示が行われていなければ（ステップＳ９４０）、現在実行中の機能の表示画面における操作が行われる（ステップＳ９４３）。
【０１０７】
特殊ボタン（例えば、撮像切替ボタン１７０や再生切替ボタン１８０など）が押下された場合、メニュー表示が行われていれば（ステップＳ９５０）、メニュー表示画面６００が非活性化される（ステップＳ９５１）。そして、メニュー表示が行われているか否かにかかわらず、その特殊ボタンに割り当てられた機能の表示画面である特殊ボタン関連画面７０３に移行される（ステップＳ９５２）。
【０１０８】
図２１は、本発明の実施の形態におけるデジタルスチルカメラ１００のメニュー操作処理（ステップＳ９７０）の処理手順の一例を示す図である。
【０１０９】
操作受付部２１０において受け付けられた操作入力の内容が、操作判定部２２０によって判定される（ステップＳ９７１）。そして、この判定結果に応じて以下のように処理が行われる。
【０１１０】
左方向の方向ボタン１４３が押下された場合、カテゴリ表示領域６１０における操作対象のカテゴリが右端でなければ（ステップＳ９７２）、カテゴリのアイコンが全体的に左方向にシフトされる（ステップＳ９７３）。
【０１１１】
右方向の方向ボタン１４４が押下された場合、カテゴリ表示領域６１０における操作対象のカテゴリが左端でなければ（ステップＳ９７４）、カテゴリのアイコンが全体的に右方向にシフトされる（ステップＳ９７５）。
【０１１２】
上方向の方向ボタン１４１が押下された場合、機能表示領域６２０における選択対象の機能が上端でなければ（ステップＳ９７６）、機能のアイコンを囲む選択枠６２９が上方向に移動される（ステップＳ９７７）。
【０１１３】
下方向の方向ボタン１４２が押下された場合、機能表示領域６２０における選択対象の機能が下端でなければ（ステップＳ９７８）、機能のアイコンを囲む選択枠６２９が下方向に移動される（ステップＳ９７９）。
【０１１４】
このように、本発明の実施の形態によれば、カテゴリ表示制御部２４１によってカテゴリ識別子をカテゴリ表示領域６１０に水平方向に表示させ、機能表示制御部２４２によって機能識別子を機能表示領域６２０に垂直方向に表示させることにより、デジタルスチルカメラ１００によって提供される機能をＧＵＩにより体系的に表示することができる。
【０１１５】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１１６】
すなわち、請求項１および９において、機能保持手段は例えば機能テーブル５０１に対応する。また、識別子保持手段は例えばアイコンテーブル５０２に対応する。また、操作受付手段は例えば操作受付部２１０に対応する。また、カテゴリ表示制御手段は例えばカテゴリ表示制御部２４１に対応する。また、機能表示制御手段は例えば機能表示制御部２４２に対応する。
【０１１７】
また、請求項２において、機能説明表示制御手段は例えば機能説明表示制御部２４３に対応する。
【０１１８】
また、請求項７において、メニューボタンはホームボタン１５０に対応する。
【０１１９】
また、請求項１２または１３において、機能保持手段は例えば機能テーブル５０１に対応する。また、識別子保持手段は例えばアイコンテーブル５０２に対応する。また、操作受付手段は例えば操作受付部２１０に対応する。また、操作入力を受け付ける手順は例えばステップＳ９１１に対応する。また、操作入力においてメニューボタンが押下されたか否かを判別する手順は例えばステップＳ９１２に対応する。また、メニューボタンが押下された場合にはメニュー表示がされているか否かを判別する手順は例えばステップＳ９２０に対応する。また、メニュー表示がされていない場合には当該メニュー表示としてカテゴリ識別子を互いに水平方向に表示させるとともに操作入力による操作対象であるカテゴリに対応する機能識別子を互いに垂直方向に表示させるよう制御する手順は例えばステップＳ９２３に対応する。また、メニュー表示がされている場合にはメニュー表示を非活性化させるよう制御する手順は例えばステップＳ９２１に対応する。
【０１２０】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【０１２１】
【図１】本発明の実施の形態における電子機器の一例としてのデジタルスチルカメラ１００の構成を示すブロック図である。
【図２】本発明の実施の形態における電子機器の一例としてのデジタルスチルカメラ１００の外観例を示す図である。
【図３】本発明の実施の形態における画面遷移の一例を示す図である。
【図４】本発明の実施の形態におけるデジタルスチルカメラ１００の機能構成例を示す図である。
【図５】本発明の実施の形態における機能テーブル５０１の一構成例を示す図である。
【図６】本発明の実施の形態における「ビューワー」カテゴリに関する表示画面の一例を示す図である。
【図７】本発明の実施の形態における「アルバム」機能の表示画面７１０の一例を示す図である。
【図８】本発明の実施の形態における「ビューワー」カテゴリに関する表示画面の他の例を示す図である。
【図９】、本発明の実施の形態における「カメラ」カテゴリに関する表示画面の一例を示す図である。
【図１０】本発明の実施の形態における「静止画」機能の表示画面７２０の一例を示す図である。
【図１１】本発明の実施の形態における「ミュージック」カテゴリに関する表示画面の一例を示す図である。
【図１２】本発明の実施の形態における「音楽プレーヤー」機能の表示画面７３０の一例を示す図である。
【図１３】本発明の実施の形態における「コミュニケーション」カテゴリに関する表示画面の一例を示す図である。
【図１４】本発明の実施の形態における「撮影時画像交換」機能の表示画面７４０の一例を示す図である。
【図１５】本発明の実施の形態における「ツールボックス」カテゴリに関する表示画面の一例を示す図である。
【図１６】本発明の実施の形態における「印刷」機能の表示画面７５０の一例を示す図である。
【図１７】本発明の実施の形態における「画像公開」機能の表示画面７６０の一例を示す図である。
【図１８】本発明の実施の形態における「メディアツール」カテゴリに関する表示画面の一例を示す図である。
【図１９】本発明の実施の形態における「全般」機能の表示画面７７０の一例を示す図である。
【図２０】本発明の実施の形態におけるデジタルスチルカメラ１００の操作入力に対する処理手順の一例を示す図である。
【図２１】本発明の実施の形態におけるデジタルスチルカメラ１００のメニュー操作処理の処理手順の一例を示す図である。
【符号の説明】
【０１２２】
１００  デジタルスチルカメラ
１１０  ディスプレイ
１２０  シャッターボタン
１３１、１３２  ズームボタン
１４１〜１４４  方向ボタン
１４５  決定ボタン
１５０  戻りボタン
１６０  ホームボタン
１７０  撮像切替ボタン
１８０  再生切替ボタン
１９１  レンズ
１９２  ストロボ発光ユニット
２１０  操作受付部
２２０  操作判定部
２４０  メニュー表示制御部
２４１  カテゴリ表示制御部
２４２  機能表示制御部
２４３  機能説明表示制御部
２６０  画面表示制御部
２８０  重ね合せ部
２９０  表示部
５００  定義ファイル
５０１  機能テーブル
５０２  アイコンテーブル
６００  メニュー表示画面
６１０  カテゴリ表示領域
６２０  機能表示領域
６９０  機能説明表示領域
７０１  元画面
７０２  選択先画面
７０３  特殊ボタン関連画面
【図１】
2007274381.tif 000003
【図２】
2007274381.tif 000004
【図３】
2007274381.tif 000005
【図４】
2007274381.tif 000006
【図５】
2007274381.tif 000007
【図６】
2007274381.tif 000008
【図７】
2007274381.tif 000009
【図８】
2007274381.tif 000010
【図９】
2007274381.tif 000011
【図１０】
2007274381.tif 000012
【図１１】
2007274381.tif 000013
【図１２】
2007274381.tif 000014
【図１３】
2007274381.tif 000015
【図１４】
2007274381.tif 000016
【図１５】
2007274381.tif 000017
【図１６】
2007274381.tif 000018
【図１７】
2007274381.tif 000019
【図１８】
2007274381.tif 000020
【図１９】
2007274381.tif 000021
【図２０】
2007274381.tif 000022
【図２１】
2007274381.tif 000023